(57)【要約】【課題】直感的に操作可能で、部品点数を削減したプロジェクタ及びリモートコントローラを提供する。【解決手段】映像入力信号を受信する複数の映像入力部を有するプロジェクタ１０とプロジェクタ１０を遠隔操作するリモートコントローラ２０とからなるプロジェクタシステム１であって、受信手段９０が、少なくとも２個以上の操作信号を所定時間内に受信した場合には、画像処理手段５０は、所定時間内に受信した操作信号に対応する映像入力信号に基づく組み合わせ画像を表示する表示画像信号を生成する。【選択図】図１
2009201010.tif 000002
【特許請求の範囲】
【請求項１】
映像入力信号を受信する複数の映像入力部を有するプロジェクタと該プロジェクタを遠隔操作するリモートコントローラとからなるプロジェクタシステムであって、
前記リモートコントローラは、
前記複数の映像入力部に対応付けられた複数の選択操作部を有する操作手段と、
前記選択操作部の各々の操作に対応する操作信号を生成し、前記プロジェクタに送信する信号生成送信手段と、を有し、
前記プロジェクタは、
前記信号生成送信手段より送信された前記操作信号を受信する受信手段と、
前記受信手段が受信した前記操作信号に基づき、前記映像入力信号から表示画像信号を生成する画像処理手段と、
前記表示画像信号に基づいて画像を投射する投射部と、を有し、
前記受信手段が、少なくとも２個以上の前記操作信号を所定時間内に受信した場合には、前記画像処理手段は、前記所定時間内に受信した前記操作信号に対応する前記映像入力信号に基づく組み合わせ画像を表示する表示画像信号を生成することを特徴とするプロジェクタシステム。
【請求項２】
請求項１に記載のプロジェクタシステムにおいて、
前記受信手段が、少なくとも２個以上の前記操作信号を所定時間内に操作順に受信した場合には、前記画像処理手段は、前記所定時間内に受信した前記操作信号に対応する前記映像入力信号に基づく組み合わせ画像を、前記操作順に予め対応付けられた配置で表示する表示画像信号を生成することを特徴とするプロジェクタシステム。
【請求項３】
請求項１または２のいずれかに記載のプロジェクタシステムにおいて、
前記受信手段が、投射中である前記組み合わせ画像に対応する前記操作信号のうちのいずれか１つを受信した場合には、前記画像処理手段は、受信した前記操作信号に対応する前記映像入力信号に基づく単一画像を表示する表示画像信号を生成することを特徴とするプロジェクタシステム。
【請求項４】
請求項１乃至３のいずれかに記載のプロジェクタシステムにおいて、
前記操作手段は、サムネイル操作部を含み、
前記信号生成送信手段は、前記サムネイル操作部の操作に対応するサムネイル操作信号を生成し、前記プロジェクタに送信し、
前記受信手段が、前記サムネイル操作信号を受信した場合には、前記画像処理手段は、前記複数の映像入力部に入力される全ての映像入力信号に基づく組み合わせ画像を表示する表示画像信号を生成することを特徴とするプロジェクタシステム。
【請求項５】
映像入力信号を受信する複数の映像入力部を有するプロジェクタであって、
前記複数の映像入力部に対応付けられた複数の選択操作部を有する操作手段と、
前記選択操作部の各々の操作に対応する操作信号を生成する信号生成手段と、
前記操作信号に基づき、前記映像入力信号から表示画像信号を生成する画像処理手段と、
前記表示画像信号に基づいて画像を投射する投射部と、を有し、
前記画像処理手段が、少なくとも２個以上の前記操作信号を所定時間内に受け付けた場合には、前記画像処理手段は、前記所定時間内に受け付けた前記操作信号に対応する前記映像入力信号に基づく組み合わせ画像を表示する表示画像信号を生成することを特徴とするプロジェクタ。
【請求項６】
請求項５に記載のプロジェクタにおいて、
前記画像処理手段が、少なくとも２個以上の前記操作信号を前記所定時間内に操作順に受け付けた場合には、前記画像処理手段は、前記所定時間内に受け付けた前記操作信号に対応する前記映像入力信号に基づく組み合わせ画像を、前記操作順に予め対応付けられた配置で表示する表示画像信号を生成することを特徴とするプロジェクタ。
【請求項７】
請求項５または６のいずれかに記載のプロジェクタにおいて、
前記画像処理手段が、投射中である前記組み合わせ画像に対応する前記操作信号のうちのいずれか１つを受け付けた場合には、前記画像処理手段は、受け付けた前記操作信号に対応する前記映像入力信号に基づく単一画像を表示する表示画像信号を生成することを特徴とするプロジェクタ。
【請求項８】
請求項５乃至７のいずれかに記載のプロジェクタにおいて、
前記画像処理手段が、前記プロジェクタ又は前記リモートコントローラに設けられたサムネイル操作部の操作に対応するサムネイル操作信号を受け付けた場合には、前記画像処理手段は、前記複数の映像入力部に入力される全ての映像入力信号に基づく組み合わせ画像を表示する表示画像信号を生成することを特徴とするプロジェクタ。
【請求項９】
映像入力信号を受信する複数の映像入力部を有するプロジェクタを遠隔操作するリモートコントローラであって、
前記複数の映像入力部に対応付けられた複数の選択操作部を有する操作手段と、
前記選択操作部の各々の操作に対応する操作信号を生成し、前記プロジェクタに送信する信号生成送信手段と、を有し、
前記操作手段は、サムネイル操作部を含み、
前記信号生成送信手段は、前記サムネイル操作部の操作に対応し、前記複数の映像入力部に入力される全ての映像入力信号に基づく組み合わせ画像を表示することを指示するサムネイル操作信号を生成し、前記プロジェクタに送信することを特徴とするリモートコントローラ。
【発明の詳細な説明】
【技術分野】
【０００１】
本発明は、プロジェクタシステム、プロジェクタ及びリモートコントローラに関する。
【背景技術】
【０００２】
複数の入力源を有する画像表示装置（例えばテレビジョンやプロジェクタなど）において、１つの入力源に対応する画像を１つの画面に表示する単一画像表示と、２つの入力源に対応する画像を１つの画面に同時に組み合わせて表示する組み合わせ画像表示とを切り替えて使用可能な画像表示装置がある。このような画像表示装置においては、例えば操作部に切り替え専用ボタンを設けることにより、ユーザが任意に単一画像表示と組み合わせ画像表示との切り替えられるように構成されたものが知られている。
【特許文献１】特開平６−３８１３０号公報
【発明の開示】
【発明が解決しようとする課題】
【０００３】
例えば操作部に切り替え専用ボタンを設ける構成とした場合、必ずしも直感的に理解できる操作ではないため、操作に不慣れなユーザにとっては、新たな操作を覚えるための負担が大きかった。また、単一画像表示と組み合わせ画像表示とを切り替えない画像表示装置に比べ、部品点数が増加するという課題があった。
【０００４】
本発明は、以上のような問題点に鑑みてなされたものであり、直感的に操作可能で、部品点数を削減したプロジェクタシステム、プロジェクタ及びリモートコントローラを提供することを目的とする。
【課題を解決するための手段】
【０００５】
（１）本発明に係るプロジェクタシステムは、映像入力信号を受信する複数の映像入力部を有するプロジェクタと該プロジェクタを遠隔操作するリモートコントローラとからなるプロジェクタシステムであって、前記リモートコントローラは、前記複数の映像入力部に対応付けられた複数の選択操作部を有する操作手段と、前記選択操作部の各々の操作に対応する操作信号を生成し、前記プロジェクタに送信する信号生成送信手段と、を有し、前記プロジェクタは、前記信号生成送信手段より送信された前記操作信号を受信する受信手段と、前記受信手段が受信した前記操作信号に基づき、前記映像入力信号から表示画像信号を生成する画像処理手段と、前記表示画像信号に基づいて画像を投射する投射部と、を有し、前記受信手段が、少なくとも２個以上の前記操作信号を所定時間内に受信した場合には、前記画像処理手段は、前記所定時間内に受信した前記操作信号に対応する前記映像入力信号に基づく組み合わせ画像を表示する表示画像信号を生成することを特徴とする。
【０００６】
本発明によれば、操作部分の部品点数を増やすことなく、複数の映像入力部からの映像の組み合わせを直感的に選択することができるプロジェクタを提供することができる。
【０００７】
（２）このプロジェクタシステムであって、前記受信手段が、少なくとも２個以上の前記操作信号を所定時間内に操作順に受信した場合には、前記画像処理手段は、前記所定時間内に受信した前記操作信号に対応する前記映像入力信号に基づく組み合わせ画像を、前記操作順に予め対応付けられた配置で表示する表示画像信号を生成してもよい。
【０００８】
（３）このプロジェクタシステムであって、前記受信手段が、投射中である前記組み合わせ画像に対応する前記操作信号のうちのいずれか１つを受信した場合には、前記画像処理手段は、受信した前記操作信号に対応する前記映像入力信号に基づく単一画像を表示する表示画像信号を生成してもよい。
【０００９】
（４）このプロジェクタシステムであって、前記操作手段は、サムネイル操作部を含み、前記信号生成送信手段は、前記サムネイル操作部の操作に対応するサムネイル操作信号を生成し、前記プロジェクタに送信し、前記受信手段が、前記サムネイル操作信号を受信した場合には、前記画像処理手段は、前記複数の映像入力部に入力される全ての映像入力信号に基づく組み合わせ画像を表示する表示画像信号を生成してもよい。
【００１０】
（５）本発明に係るプロジェクタは、映像入力信号を受信する複数の映像入力部を有するプロジェクタであって、前記複数の映像入力部に対応付けられた複数の選択操作部を有する操作手段と、前記選択操作部の各々の操作に対応する操作信号を生成する信号生成手段と、前記操作信号に基づき、前記映像入力信号から表示画像信号を生成する画像処理手段と、前記表示画像信号に基づいて画像を投射する投射部と、を有し、前記画像処理手段が、少なくとも２個以上の前記操作信号を所定時間内に受け付けた場合には、前記画像処理手段は、前記所定時間内に受け付けた前記操作信号に対応する前記映像入力信号に基づく組み合わせ画像を表示する表示画像信号を生成することを特徴とする。
【００１１】
（６）このプロジェクタであって、前記画像処理手段が、少なくとも２個以上の前記操作信号を前記所定時間内に操作順に受け付けた場合には、前記画像処理手段は、前記所定時間内に受け付けた前記操作信号に対応する前記映像入力信号に基づく組み合わせ画像を、前記操作順に予め対応付けられた配置で表示する表示画像信号を生成してもよい。
【００１２】
（７）このプロジェクタであって、前記画像処理手段が、投射中である前記組み合わせ画像に対応する前記操作信号のうちのいずれか１つを受け付けた場合には、前記画像処理手段は、受け付けた前記操作信号に対応する前記映像入力信号に基づく単一画像を表示する表示画像信号を生成してもよい。
【００１３】
（８）このプロジェクタであって、前記画像処理手段が、前記プロジェクタ又は前記リモートコントローラに設けられたサムネイル操作部の操作に対応するサムネイル操作信号を受け付けた場合には、前記画像処理手段は、前記複数の映像入力部に入力される全ての映像入力信号に基づく組み合わせ画像を表示する表示画像信号を生成してもよい。
【００１４】
（９）本発明に係るリモートコントローラは、映像入力信号を受信する複数の映像入力部を有するプロジェクタを遠隔操作するリモートコントローラであって、前記複数の映像入力部に対応付けられた複数の選択操作部を有する操作手段と、前記選択操作部の各々の操作に対応する操作信号を生成し、前記プロジェクタに送信する信号生成送信手段と、を有し、前記操作手段は、サムネイル操作部を含み、前記信号生成送信手段は、前記サムネイル操作部の操作に対応し、前記複数の映像入力部に入力される全ての映像入力信号に基づく組み合わせ画像を表示することを指示するサムネイル操作信号を生成し、前記プロジェクタに送信することを特徴とする。
【００１５】
このリモートコントローラが遠隔操作するプロジェクタは、例えば、前記複数の映像入力部に対応付けられた複数の選択操作部を有する操作手段と、前記選択操作部の各々の操作に対応する操作信号を生成する信号生成手段と、前記操作信号に基づき、前記映像入力信号から表示画像信号を生成する画像処理手段と、前記表示画像信号に基づいて画像を投射する投射部と、を有し、前記画像処理手段が、少なくとも２個以上の前記操作信号を所定時間内に受け付けた場合には、前記画像処理手段は、前記所定時間内に受け付けた前記操作信号に対応する前記映像入力信号に基づく組み合わせ画像を表示する表示画像信号を生成するプロジェクタであってもよい。
【００１６】
さらに、このプロジェクタであって、前記画像処理手段が、前記プロジェクタ又は前記リモートコントローラに設けられたサムネイル操作部の操作に対応するサムネイル操作信号を受け付けた場合には、前記画像処理手段は、前記複数の映像入力部に入力される全ての映像入力信号に基づく組み合わせ画像を表示する表示画像信号を生成するプロジェクタであってもよい。
【発明を実施するための最良の形態】
【００１７】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００１８】
本実施の形態におけるプロジェクタシステム１は、プロジェクタ１０及びリモートコントローラ２０から構成される。プロジェクタシステム１は、プロジェクタ１０に設けられた各種操作部を操作することにより、その基本的な操作を行うことができるが、本実施の形態においては、プロジェクタ用のリモートコントローラ２０を用い、プロジェクタ１０を遠隔操作できるように構成されている。
【００１９】
図１は、プロジェクタシステム１の機能ブロック図である。本実施の形態においては、プロジェクタ１０に属する機能とリモートコントローラ２０に属する機能を分けているが、リモートコントローラを有さずに、プロジェクタ本体に一体として全ての機能を構成してもよい。
【００２０】
本実施の形態におけるプロジェクタ１０は、映像入力手段４０を含む。映像入力手段４０は、複数の映像入力部を有する。映像入力手段４０は、プロジェクタ１０の外部からの映像入力信号を受信し、後述する画像処理手段５０へ出力する。本実施の形態においては、映像入力手段４０は、複数の映像入力部４１乃至４５から構成されている。映像入力部は種々の構成が可能である。
【００２１】
例えば、ＲＳ−２３２Ｃ端子、ＢＮＣ端子、コンポーネント・ビデオ端子、コンポジット・ビデオ端子、Ｓ−ビデオ端子、ＤＶＩ端子、ＨＤＭＩ端子、ＵＳＢ端子、ＩＥＥＥ１３９４端子、ＩＥＥＥ８０２．３（いわゆるＥｔｈｅｒｎｅｔ（登録商標））端子のような有線による入力のみならず、ＩＥＥＥ８０２．１１ａ／ｂ／ｇ／ｎ（いわゆる無線ＬＡＮ）やＩＥＥＥ８０２．１５．１（いわゆるＢｌｕｅｔｏｏｔｈ（登録商標））のような無線による入力を受付可能な構成や、ＳＤメモリーカードのような記憶媒体を直接挿入可能な構成も含む。
【００２２】
映像入力信号４１１、４２１、４３１、４４１及び４５１としては、例えば、コンピュータや映像再生装置からの映像入力信号が入力されたり、記憶媒体に記憶されたデータが直接入力されたりしてもよい。
【００２３】
本実施の形態においては、一例として、映像入力部４１としてＲＳ−２３２Ｃ端子を（以下「ＰＣ１」と表記）、映像入力部４２としてＤＶＩ端子を（以下「ＰＣ２」と表記）、映像入力部４３としてＳ−ビデオ端子を（以下「Ｓ−ビデオ」と表記）、映像入力部４４としてコンポーネント・ビデオ端子を（以下「ビデオ」と表記）、映像入力部４５としてＵＳＢ端子を（以下「ＵＳＢ」と表記）割り当てたプロジェクタについて説明する。
【００２４】
本実施の形態におけるプロジェクタ１０は、画像処理手段５０を含む。画像処理手段５０は、映像入力手段４０の出力信号４１２、４２２、４３２、４４２及４５２から、所定の表示画像信号５０２を生成し、後述する投射部６０に出力する。画像処理手段５０は、例えばＣＰＵやメモリ等を用いて構成されてもよい。
【００２５】
画像処理手段５０は、操作信号８０２に基づき複数の映像入力部４１乃至４５からの映像入力信号に基づく組み合わせ画像を表示する表示画像信号５０２を生成する、組み合わせ画像表示処理機能を有する。また、画像処理手段５０は、操作信号８０２に基づき、指示された単一の映像入力部からの映像入力信号に基づく単一画像を表示する表示画像信号５０２を生成する、単一画像表示処理機能を有していてもよい。さらに、画像処理手段５０は、操作信号８０２に基づき、複数の映像入力部４１乃至４５に入力される全ての映像入力信号に基づく組み合わせ画像を表示する表示画像信号５０２を生成する、サムネイル画像表示処理機能を有していてもよい。
【００２６】
本実施の形態におけるプロジェクタ１０は、投射部６０を含んでもよい。投射部６０は、画像処理手段５０の出力信号５０２に基づき、映像をスクリーン等に投射する。投射部６０は、例えばランプやレンズ等を含んで構成されてもよい。
【００２７】
本実施の形態におけるリモートコントローラ２０は、操作手段７０を含む。操作手段７０は、ユーザの操作に基づき、後述する信号生成送信手段８０に出力信号７０２を出力する。操作手段７０は、複数の映像入力部４１乃至４５に対応付けられた複数の選択操作部７１乃至７５を有する。本実施の形態においては、選択操作部７１が映像入力部４１に、選択操作部７２が映像入力部４２に、選択操作部７３が映像入力部４３に、選択操作部７４が映像入力部４４に、選択操作部７５が映像入力部４５に、それぞれ対応している。選択操作部７１乃至７５は、ユーザが投射したい映像の入力源（例えばコンピュータや映像再生装置）を選択するために用いられる。選択操作部７１乃至７５は、例えばボタンやタッチパネルとして構成されてもよい。
【００２８】
操作手段７０は、サムネイル操作部７７を含んでもよい。サムネイル操作部７７は、映像入力部４１乃至４５に入力される全ての映像の組み合わせ画像を投射したい場合に用いられる。サムネイル操作部７７は、例えばボタンやタッチパネルとして構成されてもよい。
【００２９】
なお、図２においては、選択操作部７１乃至７５及びサムネイル操作部７７を操作部群７００としている。また、操作手段７０は、操作部群７００以外に、その他の操作部を含んでいても構わない。図２においては、その他の操作部として操作部７５１及び７５２を図示している。
【００３０】
本実施の形態におけるリモートコントローラ２０は、信号生成送信手段８０を含む。信号生成手段８０は、操作手段７０の出力信号７０２に基づき、選択操作部７１乃至７５、サムネイル操作部７７並びに操作部７５１及び７５２の各々の操作に対応する操作信号８０２を後述する受信手段９０に出力する。信号生成送信手段８０は、例えば半導体集積回路を用いて構成されてもよい。操作信号８０２は、例えば赤外線通信により出力されてもよい。また、操作信号８０２は、選択操作部７１乃至７５のいずれかの操作に対応する選択操作部操作信号、サムネイル操作部７７の操作に対応するサムネイル操作部操作信号、その他の操作部７５１及び７５２のいずれかの操作に対応するその他の操作部操作信号であってもよい。
【００３１】
本実施の形態におけるプロジェクタ１０は、受信手段９０を含む。受信手段９０は、信号生成送信手段８０からの操作信号８０２を受信し、出力信号９０２を画像処理手段５０に出力する。受信手段９０は、例えば操作信号８０２を赤外線通信により受信してもよい。
【００３２】
次に、本実施の形態におけるプロジェクタシステム１の動作を説明する。図２は、本実施の形態におけるプロジェクタ１０の動作の一例を示すフローチャートである。なお、本実施の形態におけるリモートコントローラ２０は、ユーザの操作に基づき、選択操作部７１乃至７５、サムネイル操作部７７及び操作部７５１及び７５２の各々に対応した操作信号８０２をプロジェクタ１０に出力するものとする。また、選択操作部７１乃至７５のいずれかの操作に対応する操作信号を選択操作部操作信号、サムネイル操作部７７の操作に対応する操作信号をサムネイル操作部操作信号、その他の操作部７５１及び７５２のいずれかの操作に対応する操作信号をその他の操作部操作信号とする。
【００３３】
まず、プロジェクタ１０は、受信手段９０が操作信号８０２を受信したか否かを検出する（ステップＳ１００）。次に、プロジェクタ１０は、受信手段９０が選択操作部操作信号を受信したか否かを判定する（ステップＳ１０２）。本実施の形態においては、選択操作部操作信号を受信したか否かは、画像処理手段５０で判定している。
【００３４】
受信手段９０が選択操作部操作信号を受信した場合には、プロジェクタ１０は、受信手段９０が所定時間内に操作信号８０２を受信したか否かを検出する（ステップＳ１１２）。所定時間は、ユーザの現実的な操作の速度を考慮して、例えば１秒としてもよい。次に、プロジェクタ１０は、ステップＳ１００で検出した選択操作部操作信号とは異なる選択操作部の操作に対応する選択操作部操作信号を受信したか否かを判定する（ステップＳ１１４）。本実施の形態においては、ステップＳ１００で検出した選択操作部操作信号とは異なる選択操作部の操作に対応する選択操作部操作信号を受信したか否かは、画像処理手段５０で判定している。
【００３５】
ステップＳ１１２で、受信手段９０がステップＳ１００で検出した選択操作部操作信号と異なる選択操作部の操作に対応する選択操作部操作信号を受信した場合には、プロジェクタ１０は、ステップＳ１００で検出した選択操作部操作信号に対応する選択操作部の操作とステップＳ１０６で検出した選択操作部操作信号に対応する選択操作部の操作は、ユーザが同時に操作したものと判断する（ステップＳ１１４）。
【００３６】
この場合、画像処理手段５０は、ステップＳ１００で検出した選択操作部操作信号に対応する映像入力信号と、ステップＳ１１２で検出した選択操作部操作信号に対応する映像入力信号に基づく組み合わせ画像を表示する表示画像信号５０２を生成する、組み合わせ画像表示処理を行う（ステップＳ１１８）。
【００３７】
例えば、ステップＳ１００で選択操作部７１の操作に対応する選択操作部操作信号を検出し、ステップＳ１１０で選択操作部７２の操作に対応する選択操作部操作信号を検出した場合には、プロジェクタ１０は、それぞれの選択操作部操作信号に対応する映像入力部４１及び４２への映像入力信号４１１及び４２１に基づくの組み合わせ画像を生成し表示する。
【００３８】
組み合わせ画像の大きさや配置は任意であり、例えば、図３（ａ）に示す投射画像ように、映像入力部４１への映像入力信号４１１に基づく映像と映像入力部４２への映像入力信号４２１に基づく映像を並列に表示したり、図３（ｂ）に示す投射画像ように、映像入力部４１への映像入力信号４１１に基づく映像を親画面として、その内側に映像入力部４２への映像入力信号４２１に基づく映像を子画面として重ねて表示（いわゆるピクチャー・イン・ピクチャーとして表示）したりしてもよい。
【００３９】
なお、画像処理手段５０は、選択操作部の操作の操作順に予め対応付けられた配置で、ステップＳ１００で検出した選択操作部操作信号に対応する映像入力信号と、ステップＳ１１２で検出した選択操作部操作信号に対応する映像入力信号に基づく組み合わせ画像を表示する表示画像信号５０２を生成する組み合わせ画像表示処理を行ってもよい。例えば、最初に選択操作部７１の操作に対応する選択操作部操作信号を検出し、次に選択操作部７２の操作に対応する選択操作部操作信号を検出した場合について説明する。
【００４０】
例えば、図３（ａ）に示す投射画像のように、映像入力部４１への映像入力信号４１１に基づく映像と映像入力部４２への映像入力信号４２１に基づく映像を並列に表示する場合には、画像処理手段５０は、最初に検出した選択操作部７１の操作に対応する選択操作部操作信号に対応する映像入力部４１への映像入力信号４１１に基づく映像を左に、次に検出した選択操作部７２の操作に対応する選択操作部操作信号に対応する映像入力部４２への映像入力信号４２１に基づく映像を右に表示するように処理してもよい。
【００４１】
また例えば、図３（ｂ）に示す投射画像のように、映像入力部４１への映像入力信号４１１に基づく映像の内側に映像入力部４２への映像入力信号４２１に基づく映像を重ねて表示する場合には、画像処理手段５０は、最初に検出した選択操作部７１の操作に対応する選択操作部操作信号に対応する映像入力部４１への映像入力信号４１１に基づく映像を親画面として、次に検出した選択操作部７２の操作に対応する選択操作部操作信号に対応する映像入力部４２への映像入力信号４２１に基づく映像を子画面として表示するように処理してもよい。
【００４２】
また、組み合わせ画像表示処理中に、ステップＳ１００及びステップＳ１１２において、受信手段９０が他の組み合わせの選択操作部操作信号を受信した場合は、画像処理手段５０は、新たにステップＳ１００で検出した選択操作部操作信号に対応する映像入力信号と、ステップＳ１１２で検出した選択操作部操作信号に対応する映像入力信号に基づく組み合わせ画像を表示する表示画像信号５０２を生成する組み合わせ画像表示処理を行ってもよい。
【００４３】
例えば、画像処理手段５０が、映像入力部４１及び４２への映像入力信号４１１及び４２１に基づく組み合わせ画像を表示する表示画像信号５０２を生成する組み合わせ画像表示処理中に、受信手段９０が、ステップＳ１００で選択操作部７３の操作に対応する選択操作部操作信号を検出し、ステップＳ１１２で選択操作部７４の操作に対応する選択操作部操作信号を検出した場合には、プロジェクタ１０が映像入力部４３及び４４への映像入力信号４３１及び４４１に基づく組み合わせ画像を表示する表示画像信号５０２を生成するように、画像処理手段５０が組み合わせ画像表示処理を切り替えて行ってもよい。
【００４４】
図２のフローチャートにおいて、ステップＳ１１２で、受信手段９０がステップＳ１００で検出した選択操作部操作信号と異なる選択操作部の操作に対応する選択操作部操作信号を受信しなかった場合には、プロジェクタ１０は、ユーザがステップＳ１００で検出した選択操作部操作信号に対応する操作のみを行ったものと判断する（ステップＳ１１４）。
【００４５】
この場合、画像処理手段５０は、ステップＳ１００で検出した選択操作部操作信号に対応する映像入力信号に基づく単一画像を表示する表示画像信号５０２を生成する、単一画像表示処理を行う（ステップＳ１１６）。
【００４６】
例えば、ステップＳ１００で選択操作部７１の操作に対応する選択操作部操作信号を検出し、ステップＳ１１２で選択操作部７１の操作に対応する選択操作部操作信号を検出しなかった場合には、プロジェクタ１０は、選択操作部７１の操作に対応する選択操作部操作信号に対応する映像入力部４１への映像入力信号４１１に基づく映像の単一画像を表示する。単一画像の配置は、例えば、図４（ａ）に示す投射画像ように、映像入力部４１への映像入力信号４１１に基づく映像を全画面表示にしてもよい。
【００４７】
また、組み合わせ画像表示処理中に、受信手段９０が、ステップＳ１１０で投射中である組み合わせ画像に対応する操作信号のうちのいずれか１つを受信し、ステップＳ１１２で、受信手段９０がステップＳ１００で検出した選択操作部操作信号と異なる選択操作部の操作に対応する選択操作部操作信号を受信しなかった場合には、画像処理手段５０は、新たにステップＳ１００で検出した選択操作部操作信号に対応する映像入力信号に基づく単一画像を表示する表示画像信号５０２を生成する単一画像表示処理を行ってもよい。
【００４８】
例えば、画像処理手段５０が、映像入力部４１及び４２への映像入力信号４１１及び４２１に基づく映像の組み合わせ画像を生成し表示する組み合わせ画像表示処理中に、受信手段９０が、ステップＳ１００で選択操作部７１の操作に対応する選択操作部操作信号を検出し、ステップＳ１１２で選択操作部７１の操作に対応する選択操作部操作信号を検出しなかった場合には、プロジェクタ１０が映像入力部４１への映像入力信号に基づく映像の単一画像を表示する表示画像信号５０２を生成するように、画像処理手段５０が組み合わせ画像表示処理から単一画像表示処理に切り替えて行ってもよい。
【００４９】
図２のフローチャートにおいて、ステップＳ１００で、受信手段９０が選択操作部操作信号を受信しなかったものと判定した場合には（ステップＳ１０２）、プロジェクタ１０は、サムネイル操作部操作信号を受信したか否かを判定する（ステップＳ１０４）。本実施の形態においては、サムネイル操作部操作信号を受信したか否かは、画像処理手段５０で判定している。
【００５０】
サムネイル操作部操作信号を受信した場合は、ユーザがサムネイル操作部の操作を行ったものと判断する（ステップＳ１０４）。
【００５１】
この場合、画像処理手段５０は、複数の映像入力部４１乃至４５に入力される全ての映像入力信号に基づく組み合わせ画像を表示する表示画像信号５０２を生成する、サムネイル画像表示処理を行う（ステップＳ１１０）。
【００５２】
例えば、受信手段９０が、サムネイル操作部操作信号を受信した場合には、プロジェクタ１０が映像入力部４１乃至４５への全ての映像入力信号に基づく映像の組み合わせ画像を生成し表示するように、画像処理手段５０はサムネイル画像表示処理を行う。サムネイル画像の大きさや配置は任意であり、例えば、図４（ｂ）に示す投射画像ように、映像入力部４１乃至４５への全ての映像入力信号に基づく映像を並列表示してもよい。
【００５３】
図２のフローチャートにおいて、ステップＳ１００で、受信手段９０がサムネイル操作部操作信号を受信しなかったものと判定した場合には（ステップＳ１０４）、プロジェクタ１０は、その他の操作部操作信号を受信したか否かを判定する（ステップＳ１０６）。本実施の形態においては、その他の操作部操作信号を受信したか否かは、画像処理手段５０で判定している。
【００５４】
受信手段９０がその他の操作部操作信号を受信した場合には、プロジェクタ１０は、対応するその他の処理を行う（ステップＳ１０８）。受信手段９０がその他の操作部操作信号を受信しなかった場合には、プロジェクタ１０は、操作信号を検出するまでステップＳ１００からステップＳ１０６までを繰り返す。
【００５５】
なお、ステップＳ１０２からステップＳ１０６の判定の順序は、特に限定されるものではない。
【００５６】
図５は、リモートコントローラ２０の具体的な構成の一例を模式的に示した図である。本実施の形態のリモートコントローラ２０は、映像入力部４１としてＲＳ−２３２Ｃ端子を（以下「ＰＣ１」と表記）、映像入力部４２としてＤＶＩ端子を（以下「ＰＣ２」と表記）、映像入力部４３としてＳ−ビデオ端子を（以下「Ｓ−ビデオ」と表記）、映像入力部４４としてコンポーネント・ビデオ端子を（以下「ビデオ」と表記）、映像入力部４５としてＵＳＢ端子を（以下「ＵＳＢ」と表記）割り当てたプロジェクタ１０に用いるリモートコントローラの例について説明する。
【００５７】
リモートコントローラ２０は、上述の操作手段７０に対応するボタン群３００を含む。ボタン群３００には、上述の選択操作部７１乃至７５に対応するボタン３０１乃至３０５及び上述のサムネイル操作部７７に対応するボタン３０７が含まれる。
【００５８】
本実施の形態においては、ボタン３０１はＰＣ１からの入力に、ボタン３０２はＰＣ２からの入力に、ボタン３０３はＳ−ビデオからの入力に、ボタン３０４はビデオからの入力に、ボタン３０５はＵＳＢからの入力に対応している。
【００５９】
リモートコントローラ２０は、その他、ページ操作ボタン３５１及び３５２、ズーム操作ボタン３５３及び３５４、電源ボタン３５５、メニュー操作ボタン３５６乃至３５８、メニュー操作キー３５９、ポインタ表示ボタン３６０、カラーモード設定ボタン３６１、Ａ／Ｖミュートボタン３６２、静止ボタン３６３、リサイズボタン３６４、自動調整ボタン３６５、ヘルプボタン３６６、音量設定ボタン３６７及び３６８等を含んでもよい。ユーザはこれらのボタンを押すなどしてリモートコントローラ２０を操作する。
【００６０】
図６（ａ）乃至図６（ｄ）は、本実施の形態におけるリモートコントローラ２０の操作とプロジェクタ１０が投射する映像の関係を説明するための図である。
【００６１】
初めに、プロジェクタ１０がＰＣ１からの映像入力信号に基づく映像を単一画像表示していたとする（図６（ａ））。
【００６２】
この単一画像表示中に、ユーザが所定時間内にボタン３０１とボタン３０２を操作した場合、プロジェクタ１０は、ボタン３０１とボタン３０２に対応するＰＣ１とＰＣ２からの映像入力信号に基づく映像を組み合わせ画像表示する（図６（ｂ））。
【００６３】
この組み合わせ画像表示中に、ユーザが所定時間内に他の組み合わせであるボタン３０１とボタン３０４を操作した場合、プロジェクタ１０は、ボタン３０１とボタン３０４に対応するＰＣ１とビデオからの映像入力信号に基づく映像を組み合わせ画像表示する（図６（ｃ））。
【００６４】
この組み合わせ画像表示中に、ユーザが所定時間内に、投射中であるＰＣ１からの映像入力信号に基づく映像に対応するボタン３０１のみを操作した場合、プロジェクタ１０は、ボタン３０１に対応するＰＣ１からの映像入力信号に基づく映像を単一画像表示する（図６（ａ））。
【００６５】
なお、単一画像表示中であっても組み合わせ画像表示中であっても、ユーザがボタン３０７を操作した場合、プロジェクタ１０は、ＰＣ１、ＰＣ２、Ｓ−ビデオ、ビデオ及びＵＳＢからの全ての映像入力信号に基づく映像を組み合わせてサムネイル画像表示する（図６（ｄ））。
【００６６】
サムネイル画像表示中に、ユーザが所定時間内にボタン３０１のみを操作した場合、プロジェクタ１０は、ボタン３０１に対応するＰＣ１からの映像入力信号に基づく映像を単一画像表示する（図６（ａ））。
【００６７】
また、サムネイル画像表示中に、ユーザが所定時間内にボタン３０１とボタン３０２を操作した場合、プロジェクタ１０は、ボタン３０１とボタン３０２に対応するＰＣ１とＰＣ２からの映像入力信号に基づく映像を組み合わせ画像表示する（図６（ｂ））。サムネイル画像表示中にユーザが表示したい映像を選択可能にすることにより、ユーザが簡単に素早く選択することができる。
【００６８】
リモートコントローラ２０は、複数のプロジェクタ本体を１つのリモートコントローラで操作できるよう、プロジェクタ本体に付与した識別番号（ＩＤ番号）を指定できるように構成してもよい。例えば、ユーザは切り替えボタン３６９を操作した後に、各識別番号に対応したボタン３０５、３０３、３０４、３６５、３０１、３０２、３６４、３６１、３６２又は３６３を操作することにより、プロジェクタ本体に付与した識別番号を指定することができる。この場合、ボタン３０１乃至３０５は選択操作部としての役割と識別番号を指定する役割を兼用している。
【００６９】
なお、本実施の形態においては、操作手段７０をリモートコントローラ２０として構成した例を説明したが、操作手段７０をプロジェクタ１０と一体として構成することも可能である。この場合、信号生成送信手段８０は、信号生成手段として機能し、画像処理手段５０は、信号生成手段が出力する操作信号８０２を直接受け付けてもよい。
【００７０】
図７は、プロジェクタ１０に操作手段７０を設けた場合の、操作画面の一例を模式的に示した図である。プロジェクタ１０は、上述の操作部群７００に対応するボタン群５１０を含む。ボタン群５１０には、上述の選択操作部７１乃至７５に対応するボタン５１１乃至５１５及び上述のサムネイル操作部７７に対応するボタン５１７が含まれる。なお、プロジェクタ１０は、その他の操作部を含んでいてもよい。
【００７１】
本実施の形態においては、ボタン５１１はＰＣ１からの入力に、ボタン５１２はＰＣ２からの入力に、ボタン５１３はＳ−ビデオからの入力に、ボタン５１４はビデオからの入力に、ボタン５１５はＵＳＢからの入力に対応している。ユーザはこれらのボタンを押すなどして操作手段７０を操作する。なお、例えばボタンではなくタッチパネル上に選択操作部７１乃至７５に対応するボタン領域５１１乃至５１５及びサムネイル操作部７７に対応するボタン領域５１７として表示してもよい。
【００７２】
ボタン群５１０の操作とプロジェクタ１０が投射する映像との対応関係は、図６を用いて説明したリモートコントローラ２０の操作とプロジェクタ１０が投射する映像との対応関係と同様である。
【００７３】
本実施の形態のプロジェクタによれば、単一画像表示から組み合わせ画像表示へ切り替えるための特別な操作部を設ける必要がないため、操作部分の部品点数を増やすことなく、複数の映像入力部からの映像の組み合わせを直感的に選択することができるプロジェクタを提供することができる。
【００７４】
また、本実施の形態のリモートコントローラによれば、単一画像表示から組み合わせ画像表示へ切り替えるための特別な操作部を設ける必要がないため、操作部分の部品点数を増やすことなく、複数の映像入力部からの映像の組み合わせを直感的に選択することができるリモートコントローラを提供することができる。
【００７５】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００７６】
例えば、上述の実施の形態においては、２つの映像の組み合わせ画像を表示する例で説明したが、３つ以上の映像の組み合わせ画像を表示させてもよい。
【図面の簡単な説明】
【００７７】
【図１】本実施の形態におけるプロジェクタシステム、プロジェクタ及びリモートコントローラの機能ブロック図。
【図２】本実施の形態におけるプロジェクタのフローチャート。
【図３】本実施の形態におけるプロジェクタの投射画像を説明するための図。
【図４】本実施の形態におけるプロジェクタの投射画像を説明するための図。
【図５】本実施の形態におけるリモートコントローラの構成を説明するための図。
【図６】本実施の形態におけるプロジェクタの投射画像の遷移を説明するための図。
【図７】本実施の形態におけるプロジェクタの構成を説明するための図。
【符号の説明】
【００７８】
１  プロジェクタシステム、１０  プロジェクタ、１２  投射部、２０  リモートコントローラ、４０  映像入力手段、４１〜４５  映像入力部、５０  画像処理手段、６０  投射部、７０  操作手段、７１〜７５  選択操作部、７７  サムネイル操作部、８０  信号生成送信手段、９０  受信手段、３００  ボタン群、３０１〜３０５  ボタン、３０７  ボタン、３５１〜３５２  ページ操作ボタン、３５３〜３５４  ズーム操作ボタン、３５５  電源ボタン、３５６〜３５８  メニュー操作ボタン、３５９  メニュー操作キー、３６０  ポインタ表示ボタン、３６１  カラーモード設定ボタン、３６２  Ａ／Ｖミュートボタン、３６３  静止ボタン、３６４  リサイズボタン、３６５  自動調整ボタン、３６６  ヘルプボタン、３６７〜３６８  音量設定ボタン、３６９  切り替えボタン、４１１  映像入力信号、４１２  出力信号、４２１  映像入力信号、４２２  出力信号、４３１  映像入力信号、４３２  出力信号、４４１  映像入力信号、４４２  出力信号、４５１  映像入力信号、４５２  出力信号、５０２  表示画像信号、５１０  ボタン群、５１１〜５１５  ボタン、５１７  ボタン、７００  操作部群、７０２  出力信号、７５１〜７５２  操作部、８０２  操作信号、９０２  出力信号
【図１】
2009201010.tif 000003
【図２】
2009201010.tif 000004
【図３】
2009201010.tif 000005
【図４】
2009201010.tif 000006
【図５】
2009201010.tif 000007
【図６】
2009201010.tif 000008
【図７】
2009201010.tif 000009